(57)【要約】【課題】  降水時や降水後に溜まった雨水が雨垂れとなって落下することを防止可能な、或いは、雨水による外面の汚れを防止可能な形状を有する軒樋を提供する。【解決手段】  底壁７の一端から外側に傾斜して立設された前側壁５の上部に前耳部２が設けられ、前耳部２の上面３が底壁側に向かって下り傾斜面とされている軒樋において、前耳部２の上面３が段部４を有し、かつ、この段部４の角部に設けられた曲率Ｒ２が、前耳部２の上面３から前側壁５の外側に繋がる角部に設けられた曲率Ｒ１より小さくされている。【選択図】  図２
2005344280.tif 000002
【特許請求の範囲】
【請求項１】
底壁の一端から外側に傾斜して立設された前側壁の上部に前耳部が設けられ、前耳部の上面が底壁側に向かって下り傾斜面とされている軒樋において、前耳部の上面が段部を有し該段部の角部に設けられた曲率が、前耳部の上面から前側壁の外側に繋がる角部に設けられた曲率より小さくされていることを特徴とする軒樋。
【請求項２】
底壁の一端から外側に傾斜して立設された前側壁の上部に前耳部が設けられ、前耳部の上面が底壁側に向かって下り傾斜面とされている軒樋において、前耳部の上面から前側壁の内側に繋がる角部に設けられた曲率が、前耳部の上面から前側壁の外側に繋がる角部に設けられた曲率より小さくされていることを特徴とする軒樋。
【請求項３】
底壁の一端から外側に傾斜して立設された前側壁の上部に前耳部が設けられ、前耳部の上面が底壁側に向かって下り傾斜面とされている軒樋において、前耳部の上面に凹凸が設けられていることを特徴とする軒樋。
【発明の詳細な説明】
【技術分野】
【０００１】
本発明は軒樋に関し、降水時や降水後に雨垂れが発生し難い形状を有する軒樋に関する。
【背景技術】
【０００２】
従来、雨水などが軒樋の耳部に降水し、その雨水が耳部から軒樋の外側外面を伝わり落ちることで、外面が汚れて外観不良が発生するという問題や、雨垂れとなって地面を穿ち穴を開けるという問題などがあった。
【０００３】
上記の問題を解決するため、特許文献１には、軒樋本体の表面側の長手方向の側面露出部を略Ｒ形状に形成した軒樋において、側面露出部をその上部が後方へ傾倒するように前方へ湾曲状に膨曲突出せしめ、上部が後方へ傾倒するように前方へ湾曲状に膨曲突出した側面露出部の下端部に内方に屈曲する段部を設けてなる軒樋が開示されている。
【０００４】
しかしながら、上記軒樋の場合、底面への雨水の伝わりが防止されて同底面が汚れることを防止できるとしても、側面露出部を雨水が伝わることを防止することは出来ないため、側面露出部が汚れるという問題や、降水時や降水後に耳部や側面露出部に溜まった雨水が雨垂れとなって落下する問題を必ずしも防止できるものではなかった。
【０００５】
また、特許文献２には、建物の反対側の側片部の上部が下部の下側片に対して屈曲部を介して上方程建物側に向けて斜め上方に傾斜した上傾斜片となった軒樋において、建物の反対側の側片部の上傾斜片よりも下方の部位である下側片の外面部に、軒樋の長手方向に細幅の凹乃至凸の横筋部を形成して成ることを特徴とする軒樋が開示されている。
【０００６】
しかしながら、上記特許文献２の軒樋の場合には、雨水が軒樋の外面を伝って流れる際、横筋部の存在により横に移動することで縦方向に筋状に流れるのを防止できるとしても、ほこりなどの付着を完全に防止し得るものではなく外面が汚れるという問題や、降水時や降水後に溜まった雨水が角部などに集積して雨垂れとなって落下する問題を必ずしも防止できるものではなかった。
【０００７】
【特許文献１】実公平６−２０８１６号公報
【特許文献２】特許第３３４２３７４号公報
【発明の開示】
【発明が解決しようとする課題】
【０００８】
本発明の目的は、上記従来の問題点に鑑み、降水時や降水後に溜まった雨水が雨垂れとなって落下することを防止可能な、或いは、雨水による外面の汚れを防止可能な形状を有する軒樋を提供することにある。
【課題を解決するための手段】
【０００９】
請求項１記載の本発明は、底壁の一端から外側に傾斜して立設された前側壁の上部に前耳部が設けられ、前耳部の上面が底壁側に向かって下り傾斜面とされている軒樋において、前耳部の上面が段部を有し該段部の角部に設けられた曲率が、前耳部の上面から前側壁の外側に繋がる角部に設けられた曲率より小さくされていることを特徴とする。
【００１０】
請求項２記載の本発明は、底壁の一端から外側に傾斜して立設された前側壁の上部に前耳部が設けられ、前耳部の上面が底壁側に向かって下り傾斜面とされている軒樋において、前耳部の上面から前側壁の内側に繋がる角部に設けられた曲率が、前耳部の上面から前側壁の外側に繋がる角部に設けられた曲率より小さくされていることを特徴とする。
【００１１】
請求項３記載の本発明は、底壁の一端から外側に傾斜して立設された前側壁の上部に前耳部が設けられ、前耳部の上面が底壁側に向かって下り傾斜面とされている軒樋において、前耳部の上面に凹凸が設けられていることを特徴とする。
【発明の効果】
【００１２】
請求項１記載の本発明の軒樋によれば、上記のように、底壁側に向かって下り傾斜面とされている前耳部の上面が段部を有し、この段部の角部に設けられた曲率が、前耳部の上面から前側壁の外側に繋がる角部に設けられた曲率より小さくされているので、降水時又は降水後に耳部上面に溜まった雨水が、曲率の小さな方へ引き込まれる働きによって軒樋の外側に雨垂れとなって落下するのを防止することが可能となる。この作用機構については必ずしも明らかではないが、前耳部の上面が底壁側に向かって下り傾斜面とされていることと相俟って、水の表面張力の働きによって雨水が曲率の小さな方へ誘引されて引き込まれるためと推定される。また、場合によっては、軒樋の外側に繋がる角部から雨水が外側に流れ出す場合も皆無ではないが、角部に曲率が設けられていることで、雨垂れとなって地面に落下することを防止可能である。
【００１３】
また、請求項２記載の本発明の軒樋においても、底壁側に向かって下り傾斜面とされている前耳部の上面から前側壁の内側に繋がる角部に設けられた曲率が、前耳部の上面から前側壁の外側に繋がる角部に設けられた曲率より小さくされているので、上記同様の効果を発揮することができる。
【００１４】
更に、請求項３記載の本発明の軒樋においては、底壁側に向かって下り傾斜面とされている前耳部の上面に凹凸が設けられているので、この凹凸部の働きにより、前耳部の上面に溜まった雨水が軒樋の外側に流れ出すのを防止可能となり、雨水は軒樋の内側に引き込まれ易くなるため、軒樋の前側壁外面の汚れを防止することができる。
【発明を実施するための最良の形態】
【００１５】
以下、本発明を実施するための最良の形態について、図面を参照しつつ説明する。
図１は、本発明の軒樋の一例を示す断面図、図２は、図１の軒樋の要部を示す拡大断面図である。
本発明の軒樋は、図１に例示するように、底壁７の一端から外側に傾斜して立設された前側壁５の上部に前耳部２が設けられ、前耳部２の上面３が底壁７側に向かって下り傾斜面とされている軒樋１において、前耳部２の上面３が段部４を有し、図２に例示するように、段部４の角部に設けられた曲率Ｒ２が、前耳部２の上面３から前側壁５の外側に繋がる角部に設けられた曲率Ｒ１より小さいことを特徴とするものである。
【００１６】
前耳部２の上面３が底壁７側に向かって下り傾斜面とされ、かつ、曲率Ｒ２が曲率Ｒ１より小さいことによって、降水時又は降水後に前耳部２の上面３に溜まった雨水が、曲率の小さなＲ２の方へ引き込まれやすくなり、前耳部２の上面３から前側壁５の外側に繋がる角部５１などから雨垂れとなって図示する垂直方向Ａに落下するのを防止することが可能となる。
【００１７】
また、本発明の軒樋は、図３に耳部拡大図を例示するように、前耳部２の上面３から前側壁５の内側に繋がる角部Ｒ２に設けられた曲率が、前耳部２の上面３から前側壁５の外側に繋がる角部に設けられた曲率Ｒ１より小さいことを特徴とするものであってもよい。
【００１８】
この場合にも、上記同様に、降水時又は降水後に前耳部２の上面３に溜まった雨水が、曲率の小さなＲ２の方へ引き込まれやすくなり、前耳部２の外側３から前側壁５の外側に繋がる角部５１，５２などから雨垂れとなって図示する垂直方向Ａに落下するのを防止することが可能となる。
【００１９】
上記曲率については、Ｒ１の曲率よりＲ２の曲率が小さければ特に限定されないが、好ましくは曲率半径としてＲ１の曲率半径が１〜１０ｍｍであり、Ｒ２の曲率半径が３〜３０ｍｍである。尚、本発明において曲率とは曲率半径の逆数（１／曲率半径）を意味する。
【００２０】
また、本発明の軒樋は、図４に前耳部２の拡大図を例示するように、前耳部２の上面３に凹凸６が設けられたことを特徴とするものであってもよい。
【００２１】
この場合には、降水時又は降水後に前耳部２の上面３に溜まった雨水が、凹凸６の働きにより、前耳部２外側の前側壁５の方向へ流れ出すのを防止可能となり、前側壁５の外側の角部５１，５２などから雨垂れとなって図示する垂直方向Ａに落下するのを防止することが可能となるとともに、前側壁５が汚れるのを防止することができる。
【図面の簡単な説明】
【００２２】
【図１】本発明の軒樋の一例を示す模式断面図である。
【図２】図１の軒樋の要部を示す拡大断面図である。
【図３】本発明の軒樋の他の一例を示す部分拡大断面図である。
【図４】本発明の軒樋の更に他の一例を示す部分拡大断面図である。
【符号の説明】
【００２３】
１  軒樋
２  前耳部
３  上面
４  段部
５  前側壁
５１，５２  側壁の角部
６  凹凸
７  底壁
Ｒ１、Ｒ２  曲率
【図１】
2005344280.tif 000003
【図２】
2005344280.tif 000004
【図３】
2005344280.tif 000005
【図４】
2005344280.tif 000006